(57)【要約】【課題】しめ縄の色が経年変化しない、正月飾りを低コストで提供する。【解決手段】草或いは藁を編んで作られたしめ縄１００と、しめ縄１００に取り付けられた装飾品２００とを備えた正月飾りにおいて、しめ縄１００に漂白を施す。【選択図】図１
0003117787.tif 000002
【実用新案登録請求の範囲】
【請求項１】
草或いは藁で作られたしめ縄を備えた正月飾りであって、
前記しめ縄は、漂白が施されていること
を特徴とする正月飾り。
【請求項２】
草或いは藁で作られたしめ縄と、該しめ縄に取り付けられた装飾品とを備えた正月飾りであって、
前記しめ縄は、漂白が施されていること
を特徴とする正月飾り。
【請求項３】
請求項１または２に記載の正月飾りであって、
前記しめ縄は、前記漂白が施され、さらに、少なくとも一部に着色が施されていること
を特徴とする正月飾り。
【請求項４】
しめ縄を備えた正月飾りであって、
前記しめ縄は、漂白が施された草或いは藁と、草或いは藁以外の紐とを併せて編み込んで作られていること
を特徴とする正月飾り。
【請求項５】
草或いは藁で作られたしめ縄を備えた正月飾りであって、
前記しめ縄は、草或いは藁をＨ２Ｏ２とＨ２Ｏとの混合溶液の中で煮沸し、当該煮沸した草或いは藁を編み込んで作られていること
を特徴とする正月飾り。
【考案の詳細な説明】
【技術分野】
【０００１】
本考案は、装飾品の技術に関し、特に祭事用・縁起用の装飾品として利用する正月飾りの技術に関する。
【背景技術】
【０００２】
正月を迎えるにあたり、玄関や神棚に正月飾りを飾り付け、一年の健康、家内安全、商売繁盛等を祈念することが行なわれている。従来の正月飾りは、特許文献１（実用新案登録第３０８１４３２号）に記載されているように、草或いは藁を編んで作ったしめ縄に、水引、ゆずり葉、海老等の装飾品を取り付けたものが利用されている。
【考案の開示】
【考案が解決しようとする課題】
【０００３】
しかしながら、特許文献１に記載されている従来の正月飾りは、以下の問題を有している。具体的には、正月飾りのしめ縄に用いられている草或いは藁（藁等）は、経年変化により色が変化（色落ち）する。そして、正月飾りは、しめ縄が色落ちした場合に、売れ行きが悪くなる傾向にある。すなわち、従来の正月飾りは、期間の経過で製品価値が減少するという問題を有している。なお、しめ縄の色落ち前に正月飾りが販売できるように、しめ縄を正月飾りの販売時期が近づいてから生産することも考えられる。しかし、このように生産時期を調整した場合、しめ縄の作りためができないため、生産効率が悪化してしまう。
【０００４】
本考案は、上記事情に鑑みてなされたものであり、本考案の目的は、色落ちしないしめ縄を備えた正月飾りを提供することにある。
【課題を解決するための手段】
【０００５】
上記課題を解決するため、本考案の一態様は、草或いは藁で作られたしめ縄を備えた正月飾において、前記しめ縄に漂白を施すようにする。
【考案の効果】
【０００６】
このように本考案によれば、しめ縄に漂白を施すようにしているため、しめ縄が色落ちすることがない。すなわち、本考案では、期間の経過に伴う製品価値の減少を防ぐことができる。また、本考案では、しめ縄が色落ちすることがないため、しめ縄を作りためしておくことができる。その結果、本考案は、正月飾りの生産性を向上させることができる。
【０００７】
さらに、しめ縄を漂白するようにしたため、色の見栄えが悪い藁等でもしめ縄の材料に利用できるため、正月飾りのコストを低減させることができる。
【考案を実施するための最良の形態】
【０００８】
以下、本考案が適用された正月飾りの実施形態について、図面を用いて説明する。
【０００９】
《第１実施形態》
まず、本考案の第１実施形態の正月飾りの概略について、図１および図２を用いて説明する。
【００１０】
図１は、本考案の第１実施形態の正月飾りの外観図である。図２は、本考案の第１実施形態の正月飾りの分解図である。
【００１１】
図示するように、第１実施形態の正月飾りは、しめ縄１００と、装飾品２００とを有する。なお、第１実施形態では、しめ縄１００に装飾品２００を取り付けた場合を例にするがこれは例示に過ぎない。しめ縄１００だけで正月飾りを構成してもよい。
【００１２】
しめ縄１００は、草或いは藁（以下において、「草或いは藁」を「藁等」という）を束ねて編んで作られる。なお、本考案のしめ縄１００の材料である藁等は、後述する方法により漂白が施されている。
【００１３】
装飾品２００は、種々の縁起物が組み合わされている。本実施形態では、装飾品２００を構成する縁起物の具体的な構成について特に限定しない。例えば、装飾品２００は、図２に示すように、祈念札が貼られた台紙２１２、末広（扇）２０１、祈念札２０２、水引２０３、鶴の飾り物２０４、小判２０５、鯛の飾り物２０６、ゆずり葉２０７、橙２０８、松の葉２０９、裏白２１０、および御幣２１１を有する。なお、装飾品２００を構成する縁起物は、模造品であってもよいし、天然物であってもよい。
【００１４】
続いて、本考案の第１実施形態の正月飾りの生産手順について、図２を用いて説明する。なお、しめ縄１００に取り付ける装飾品２００は、周知技術により生産されるものとする。そのため、以下では装飾品２００の生産手順の説明は、省略する。
【００１５】
先ず、しめ縄１００の生産手順について説明する。しめ縄１００の生産工程では、初めに、藁等を漂白する作業が行なわれる。具体的には、天日干しされた藁等を、漂白材を水に溶かして生成した溶液の入った容器（釜等）入れて煮沸することで藁等を漂白する。藁等の漂白に用いる溶液については、特に限定しない。例えば、漂白材に、hydrogen peroxide（Ｈ２Ｏ２）を利用するとよい。漂白材にhydrogen peroxide（Ｈ２Ｏ２）を利用する場合、hydrogen peroxideと水（Ｈ２Ｏ）とを「１」対「３」の割合で混ぜた溶液を作り、その溶液の中に藁等を入れて、１時間程度煮沸する。このように煮沸するようにしたのは、効率的に漂白ができることに加え、さらに、煮沸により防虫、防カビ等の効果が得られるためである。
【００１６】
その後、漂白した藁等を溶液から出し、良く水洗いしてから約半日日向干しした後、乾燥機等で水分を取り除く。
【００１７】
その後、水分が入らないような状態で保管する（例えば、ドライルームの中で水分が入らないように保管する）。続いて、ドライルームで保管されている漂白した藁等を編み、例えば、図２に示すしめ縄１００を作る。その後、漂白した藁等で作られたしめ縄１００に装飾品２００を取り付け、正月飾りを完成させる。なお、本実施形態では、しめ縄１００に装飾品２００を取り付ける方法は、特に限定しない。例えば、しめ縄１００と装飾品２００とを紐で固定してもよい。
【００１８】
このように第１実施形態の正月飾りは、しめ縄の材料である藁等を漂白しているため、しめ縄が色落ちすることがない。すなわち、第１実施形態の正月飾りは、期間経過による製品価値の減少を防止することができる。
【００１９】
また、第１実施形態では、しめ縄が色落ちすることがないため、しめ縄を生産する時期が限定されることがない（正月飾りを販売する時期を考慮してしめ縄を生産する必要がない）。その結果、正月飾り生産性を向上させることができる。
【００２０】
また、第１実施形態では、しめ縄に漂白を施すようにしているため、色の見栄えが悪い藁等であってもしめ縄の材料として利用できるようになる。その結果、第１実施形態では、しめ縄に用いる藁等を選択する必要がなくなり、正月飾りのコストを低減できる。
【００２１】
さらに、第１実施形態では、漂白することにより、しめ縄の色にムラが無くなるため、正月飾りの見栄えがよくなる。また、上述した方法で藁等を漂白した場合、天然物の藁等と異なる色彩の色になり、新たなデザイン効果が生じる。
【００２２】
また、本実施形態では、漂白する際に藁等を煮沸するため、効率よく漂白できる。さらに、藁等を煮沸することで、藁等に防虫、防カビ対策を施すことができる。このように、本実施形態によれば、防虫効果、防カビ効果を得るために特別の作業を行う必要がないため、低コストで、藁等への防虫、防カビ対策を施すことができるようになる。
【００２３】
また、藁等に防虫効果、防カビ効果が生じているため、しめ縄に取り付ける装飾品の橙等に模造品ではなく天然物（例えば、本物の橙）を利用する場合、天然物にカビが生えたり、虫が涌いたりすることを防ぐことができる。
【００２４】
なお、図１および２に示した、しめ縄１００の形状および装飾品２００の構成はあくまでも例示に過ぎない。例えば、第１実施形態の正月飾りを、図３に示すような形状にしてもかまわない。
【００２５】
図３には、本考案の第１実施形態の変形例を示している。図示するように、変形例では、環状に編んだしめ縄３００に、装飾品４００が取り付けられている。なお、しめ縄３００は、上述した手順で漂白が施されている藁等により作られている。また、装飾品４００は、御幣４０１、祈念札４０２、および花４０３を備えている。
【００２６】
そして、図３に示す変形例も、図１に示す正月飾りと同様の作用効果を奏することができる。
【００２７】
《第２実施形態》
次に、本考案の第２実施形態を説明する。本考案の第２実施形態の正月飾りは、第１実施形態の正月飾りを変形したものである。具体的には、第２実施形態では、しめ縄の材料に藁等だけなく、藁等に水引を加えたものを利用するようにしている。なお、第２実施形態の説明では、第１実施形態と異なる部分を中心に説明する。
【００２８】
ここで、第２実施形態の正月飾りの外観図を図４に示す。図示するように、第２実施形態の正月飾りは、しめ縄５００を有する。なお、第２実施形態においても、第１実施形態のように、しめ縄５００に装飾品を取り付けるようにしてもかまわない。
【００２９】
しめ縄５００の材料は、漂白された藁等と、藁等と異材質の水引とが用いられる。具体的には、第１実施形態と同様の手順で漂白された藁等を束ねた藁縄５１０と、水引を束ねた水引縄５２０と、を併せて編み込んでいき、しめ縄５００を作る。なお、図示する例では、２本の藁縄５１０と、１本の水引縄５２０とを併せて編み込んでいるが特にこれに限定するものではない。
【００３０】
第２実施形態によれば、藁縄５１０が漂白されているため、藁縄５１０とともに編み込まれた水引縄５２０が視覚的に認識できるようになる。つまり、藁等が漂白されているため、視覚的に水引が目立つようになる。
【００３１】
このように、第２実施形態では、しめ縄５００に用いる藁等を漂白するようにしているため、しめ縄５００自体のデザインのバリエーションを増やすことが可能になる。例えば、藁等と共に編みこむ水引の量を増減させることにより、或いは、水引の色を変えることにより、様々なデザインのしめ縄５００を生産することができる。
【００３２】
このように、第２実施形態によれば、しめ縄５００の材料である藁等を漂白するようにしているため、しめ縄５００のデザインの自由度を高めることができる。
【００３３】
なお、第２実施形態では、漂白した藁等に水引を併せて編みこむ場合を説明したが、特にこれに限定するものではない。水引以外の紐等を藁等と共に編みこんでいき、しめ縄５００を作るようにしてもよい。水引以外の紐等については、藁等と異材質であればかまわない。例えば、水引以外の紐等として、ちりめん紐、麻紐、紙紐（紙ロープ）、皮紐、毛糸、ビニール紐、ウレタン紐、リボン等を用いることができる。
【００３４】
《第３実施形態》
次に、本考案の第３実施形態を説明する。本考案の第３実施形態の正月飾りは、しめ縄の材料である藁等を漂白して、さらに、着色を施すようにしたものである。
【００３５】
具体的には、第３実施形態では、第１実施形態と同様の手順により、しめ縄の材料である藁等を漂白する。その後、漂白をした藁等を緑色や金色等の色に着色する。そして、緑色や金色に着色された藁等を第１実施形態と同様に編みこんでいき、しめ縄を完成させる。なお、第３実施形態の正月飾りは、着色された藁等で作られたしめ縄と、装飾品とを備える構成にしてもよい。また、着色された藁等で作られたしめ縄だけで正月飾りを構成するようにしてもよい。
【００３６】
また、第３実施形態において、しめ縄を、漂白した藁と、漂白してから着色した藁等とを併せて作るようにしてもよい（少なくとも一部の藁等に着色が施されていればよい）。例えば、図４に示す水引縄５２０を、漂白した上で着色した藁等で作った藁縄に代えてもよい。
【００３７】
このように、第３実施形態の正月飾りのしめ縄は、着色されているため、従来のしめ縄（例えば、特許文献１のしめ縄）に比べて、色落ちする可能性を低減させることができる。例えば、第３実施形態では、所望する色（例えば、新緑をイメージさせる色）に着色しておけば、長期間にわたり、所望する色が保たれる。
【００３８】
また、第３実施形態では、藁等を漂白してから着色しているため、藁等が持つ本来の色に影響を受けることなく、しめ縄を所望する色に着色することができる。
【００３９】
このように、上述した第１〜第３の実施形態によれば、しめ縄の材料である藁等に漂白を施すようにしているため、しめ縄の経年変化による色落ちを防ぐことができる。そして、本実施形態の正月飾りは、しめ縄の色落ちによる製品価値の減少が起こらないため、製造メーカおよび販売業者にとって、取り扱い易い製品となる。
【００４０】
また、上述した実施形態では、しめ縄が色落ちしないため、正月飾りの販売時期に対応させ、しめ縄を生産する必要がない。そのため、本実施形態によれば、正月飾りの生産性を向上させることが可能になる。
【００４１】
さらに、上述した実施形態では、しめ縄を漂白するようにしたため、色の見栄えが悪い藁等であってもしめ縄用の材料として利用できるようになる。そのため、本実施形態によれば、しめ縄の材料の藁等の選別する工程を削減でき、正月飾りのコストを削減することができる。
【００４２】
なお、本考案は、以上で説明した実施形態に限定されるものではなく、本考案の要旨の範囲内において種々の変形が可能である。上述した実施形態で示したしめ縄の形状（図１〜４で示した形状）は、例示に過ぎない。例えば、しめ縄を宝船等の形状にしてもかまわない。また、上記実施形態では、玄関、神棚の前、店舗の入口等の飾り付ける正月飾りを説明したがこれは例示に過ぎない。例えば、自動車の車内に飾る小型の正月飾りにも本考案を適用することができる。
【００４３】
また、上記の第１実施形態では、藁等を漂白して、その漂白した藁でしめ縄を作る場合を説明したが、特にこれに限定するものではない。例えば、漂白前の藁等でしめ縄を作っておき、そのしめ縄を漂白するようにしてもよい。同様に、上記第３実施形態では、藁等を着色しておき、その着色した藁等でしめ縄を作る場合を説明したが、特にこれに限定するものではない。例えば、漂白前の藁等でしめ縄を作っておき、そのしめ縄を漂白して、その後、着色するようにしてもよい。また、上記第１実施形態の手順により作ったしめ縄に着色を施すようにしてもよい。
【００４４】
上記の第３実施形態において、しめ縄を色付けする塗料に防腐剤を混ぜるようにしてもよい。或いは、藁等に漂白を施す際に、漂白を行う溶液の中に防腐剤を入れるようにしてもかまわない。このようにすることで、しめ縄に取り付ける装飾品の橙等に模造品ではなく天然物（例えば、本物の橙）を利用する場合、その装飾品を腐りにくくすることが可能になる。
【００４５】
また、上記実施形態で説明した藁等を漂白する方法は、あくまでも例示である。他の方法で藁等を漂白してもよい。例えば、漂白剤にＨ２Ｏ２以外のものを利用してもよいし、煮沸時間も変更してもかまわない（稲藁を漂白する際の時間と、草を漂白する際の時間とで煮沸時間を変えてもよい）。また、漂白剤と水との割合を変更してもかまわない。
【図面の簡単な説明】
【００４６】
【図１】本考案の第１実施形態の正月飾りの外観図である
【図２】本考案の第１実施形態の正月飾りの分解図である。
【図３】本考案の第１実施形態の変形例を説明するための図である。
【図４】本考案の第２実施形態の正月飾りの外観図である。
【符号の説明】
【００４７】
１００…しめ縄、２００…装飾品、２０１…末広、２０２…祈念札、２０３…水引、２０４…鶴の飾り物、２０５…小判、２０６…鯛の飾り物、２０７…ゆずり葉、２０８…橙２０８、２１２…台紙、３００…しめ縄、４００…装飾品、４０１…御幣、４０２…祈念札、４０３…花、５１０…藁縄、５２０…水引縄
【図１】
0003117787.tif 000003
【図２】
0003117787.tif 000004
【図３】
0003117787.tif 000005
【図４】
0003117787.tif 000006